(57)【要約】      （修正有）【課題】ボールの位置をマークしうる機能と共に、プレイ中の実際の打数を表示して容易に確認することができるスコアボードの機能を併有して、ゴルファーがプレイに集中できるようになるゴルフ用ボールマークを提供する。【解決手段】ゴルフ場のグリーン上でボールの位置にボールの代わりに置いてボールの位置を示すゴルフ用ボールマーク１１であって、周方向に沿って適宜な間隔をあけて打数を示す数字が表示されたスコア表示部材１２と、上記スコア表示部材の上に回転可能に被覆され、一部に上記スコア表示部材に表示された数字を露顕可能とする透明窓部２１が形成されたカバー部材１３と、上記スコア表示部材及び上記カバー部材を収納して保持しうる固定部材１４とを有し、全体が略円板状に形成されている。【選択図】図１
0003132119.tif 000002
【実用新案登録請求の範囲】
【請求項１】
ゴルフ場のグリーン上でボールの位置にボールの代わりに置いてボールの位置を示すゴルフ用ボールマークであって、
周方向に沿って適宜な間隔をあけて打数を示す数字が表示されたスコア表示部材と、
上記スコア表示部材の上に回転可能に被覆され、一部に上記スコア表示部材に表示された数字を露顕可能とする透明窓部が形成されたカバー部材と、
上記スコア表示部材及び上記カバー部材を収納して保持しうる固定部材とを有し、
全体が略円板状に形成されていることを特徴とするゴルフ用ボールマーク。
【請求項２】
上記カバー部材と上記スコア表示部材は、中心部をリベットにより回転可能に止着されると共に、上記スコア表示部材は上記固定部材に対し接着剤を用いて固定されていることを特徴とする請求項１記載のゴルフ用ボールマーク。
【請求項３】
上記カバー部材、上記スコア表示部材及び上記固定部材は中心部をリベットにより止着されて結合されていることを特徴とする請求項１記載のゴルフ用ボールマーク。
【請求項４】
上記リベットの頭部には装飾部材が固定されていることを特徴とする請求項２又は３記載のゴルフ用ボールマーク。
【請求項５】
上記固定部材は、磁石もしくは強磁性体金属を介して、ゴルフ用グローブに対し脱着自在に形成されていることを特徴とする請求項１〜４のいずれか１項に記載されたゴルフ用ボールマーク。
【請求項６】
上記固定部材は、面ファスナを介して、ゴルフ用グローブに対し脱着自在に形成されていることを特徴とする請求項１〜４のいずれか１項に記載されたゴルフ用ボールマーク。
【請求項７】
上記固定部材は、スナップボタンを介して、ゴルフ用グローブに対し脱着自在に形成されていることを特徴とする請求項１〜４のいずれか１項に記載されたゴルフ用ボールマーク。
【請求項８】
上記固定部材は、金属素材により形成されていることを特徴とする請求項１〜７のいずれか１項に記載されたゴルフ用ボールマーク。
【考案の詳細な説明】
【技術分野】
【０００１】
本考案はゴルフ用ボールマークに係り、特に、ボールの位置をマークしうる機能と共に、実際の打数を表示しうるスコアボード機能を併有するゴルフ用ボールマークに関する。
【背景技術】
【０００２】
一般的に、複数のゴルファーが一緒にプレイして、打球がグリーン上に載り、自分のボールが他人のプレイの邪魔になる位置にある場合は、自分のボールの位置に、ボールの代わりに、コイン状に形成されたボールマークを置いて、自分のボールを一時取り除くことにより他人のプレイの邪魔になるのを回避している。
【０００３】
従来の上記ボールマークは金属により円板状に形成されたものが多く、ボールの位置をマークする以外の機能が備えられたものは少ない。
【０００４】
ところで、ゴルフのプレイ中に、打数を忘れてしまう場合がある。そして、打数を誤ってスコアカードに記載することにより、罰則として、失格にされたり、打数を加算される場合がある。
したがって、打数を忘れないように気を遣いながらプレイするため、プレイに集中できない、という不具合があった。
【考案の開示】
【考案が解決しようとする課題】
【０００５】
そこで本考案の課題は、ボールの位置をマークしうる機能と共に、プレイ中の実際の打数を表示して容易に確認することができるスコアボードの機能を併有して、ゴルファーがプレイに集中できるようになるゴルフ用ボールマークを提供することにある。
【課題を解決するための手段】
【０００６】
上記課題を解決するために、本考案のゴルフ用ボールマークは、ゴルフ場のグリーン上でボールの位置にボールの代わりに置いてボールの位置を示すゴルフ用ボールマークであって、周方向に沿って適宜な間隔をあけて打数を示す数字が表示されたスコア表示部材と、上記スコア表示部材の上に回転可能に被覆され、一部に上記スコア表示部材に表示された数字を露顕可能とする透明窓部が形成されたカバー部材と、上記スコア表示部材及び上記カバー部材を収納して保持しうる固定部材とを有し、全体が略円板状に形成されていることを特徴とする。
【０００７】
すなわち、本考案に係る上記ゴルフ用ボールマークにあっては、グリーン上のボールの位置に、ボールに代えてそのまま置くことによりボールマークとして使用することができ、又、上記カバー部材を上記スコア表示部材に対し回転させて上記透明窓部に実際の打数と同じ数字を露見させることによりスコアを容易に確認しうるスコアボードとして使用することができる。
【０００８】
また、本考案に係る上記ゴルフ用ボールマークは、上記カバー部材と上記スコア表示部材が、中心部をリベットにより回転可能に止着されると共に、上記スコア表示部材は上記固定部材に対し接着剤を用いて固定されている構成にすることができる。
【０００９】
これにより、本考案に係る上記ゴルフ用ボールマークにあっては、上記スコア表示部材が上記接着剤により上記固定部材に固定され、上記カバー部材は上記スコア表示部材に対し回転し、上記透明窓部においてスコアを表示することができる。
【００１０】
また、本考案に係る上記ゴルフ用ボールマークは、上記カバー部材、上記スコア表示部材及び上記固定部材が中心部をリベットにより止着されて結合された構成にすることもできる。
【００１１】
この場合も、本考案に係る上記ゴルフ用ボールマークは、上記スコア表示部材が上記固定部材に対し上記リベットで固定され、上記カバー部材は上記スコア表示部材に対し回転し、上記透明窓部においてスコアを表示することができる。
【００１２】
また、本考案に係る上記ゴルフ用ボールマークは、上記リベットの頭部に装飾部材が固定された構成にすることができる。
【００１３】
これにより、本考案に係る上記ゴルフ用ボールマークにあっては、上記リベットの頭部がそのまま露出して外観が不体裁になるのを避けることができる。
【００１４】
また、本考案に係る上記ゴルフ用ボールマークは、上記固定部材が、磁石もしくは強磁性体金属を介して、ゴルフ用グローブに対し脱着自在に形成されている構成にすることができる。
【００１５】
これにより、本考案に係る上記ゴルフ用ボールマークにあっては、ボールマークとして使用する場合は上記ゴルフ用グローブから取り外し、スコアボードとして使用する場合は上記ゴルフ用グローブの甲に固定して使用することができる。
【００１６】
また、本考案に係る上記ゴルフ用ボールマークは、上記固定部材が、面ファスナを介して、ゴルフ用グローブに対し脱着自在に形成されている構成にすることもできる。
【００１７】
この場合も、本考案に係る上記ゴルフ用ボールマークは、ボールマークとして使用する場合に上記ゴルフ用グローブから取り外し、スコアボードとして使用する場合は上記ゴルフ用グローブの甲に固定して使用することができる。
【００１８】
また、本考案に係る上記ゴルフ用ボールマークは、上記固定部材が、スナップボタンを介して、ゴルフ用グローブに対し脱着自在に形成されている構成にすることもできる。
【００１９】
この場合も、本考案に係る上記ゴルフ用ボールマークは、ボールマークとして使用する場合に上記ゴルフ用グローブから取り外し、スコアボードとして使用する場合は上記ゴルフ用グローブの甲に固定して使用することができる。
【００２０】
また、本考案に係る上記ゴルフ用ボールマークは、上記固定部材が、金属素材により形成されていることを特徴とする。
【００２１】
これにより、本考案に係る上記ゴルフ用ボールマークにあっては、上記固定部材が上記カバー部材及び上記スコア表示部材を保持するために十分な強度を有することができる。
【考案の効果】
【００２２】
請求項１記載の本考案に係るゴルフ用ボールマークは、ゴルフ場のグリーン上でボールの位置にボールの代わりに置いてボールの位置を示すゴルフ用ボールマークの本来の機能を発揮することができると共に、上記カバー部材を上記スコア表示部材に対し回転させて上記透明窓部において実際の打数と同じ数字を露見させることによりスコアを確認しうることからスコアボードの機能も併有することができる。
したがって、実際のスコアを容易に確認でき、誤ったスコアをスコアカードに記載して失格になったりする心配がないので、ゴルファーは集中してプレイすることができる。
【００２３】
請求項２記載の本考案に係るゴルフ用ボールマークは、上記カバー部材を上記スコア表示部材に対し円滑に回転させることができる。
また、上記スコア表示部材は上記固定部材に対し接着剤を用いて固定されるので回転不能である。したがって、上記スコア表示部材が上記カバー部材の回転時に引き摺られて一緒に回転してしまう不具合を防止することができる。
【００２４】
請求項３記載の本考案に係るゴルフ用ボールマークは、上記カバー部材を上記スコア表示部材に対し円滑に回転させることができる。また、上記カバー部材及び上記スコア表示部材を上記固定部材と共にリベットにより結合することから、上記固定部材に対する上記カバー部材及び上記スコア表示部材の取付工程が容易化する。
【００２５】
請求項４記載の本考案に係るゴルフ用ボールマークは、上記リベットの頭部に装飾部材が固定されていることから、上記リベットの頭部がそのまま露出することがなく、上記リベットの頭部が上記装飾部材により装飾性が向上するので、外観の見栄えが良好になる。
【００２６】
請求項５記載の本考案に係るゴルフ用ボールマークは、ボールマークとして使用する場合は、上記固定部材をゴルフ用グローブから容易に取り外すことができると共に、スコアボードとして使用する場合は、ゴルフ用グローブの甲に容易に固定することができるので、実際のスコアを確認しやすく、使い勝手が良好である。
【００２７】
請求項６記載の本考案に係るゴルフ用ボールマークも、ボールマークとして使用する場合は、上記固定部材をゴルフ用グローブから容易に取り外すことができると共に、スコアボードとして使用する場合は、ゴルフ用グローブの甲に容易に固定することができるので、実際のスコアを確認しやすく、使い勝手が良好である。
また、面ファスナは位置が多少ずれても固定できるので、固定位置を厳密に合わせる煩瑣がない。
【００２８】
請求項７記載の本考案に係るゴルフ用ボールマークも、ボールマークとして使用する場合は、上記固定部材をゴルフ用グローブから容易に取り外すことができると共に、スコアボードとして使用する場合は、ゴルフ用グローブの甲に容易に固定することができるので、実際のスコアを確認しやすく、使い勝手が良好である。
また、スナップボタンは係合時にクリック音を発するので、確実に固定されたか否かを耳でも確認することができる。
【００２９】
請求項８記載の本考案に係るゴルフ用ボールマークは、上記固定部材が金属素材により形成され、十分な強度を有するため変形しにくいことから、上記スコア表示部材に対する上記カバー部材の回転が上記固定部材の変形により阻害されることを防止することができる。
【考案を実施するための最良の形態】
【００３０】
以下、図面を用いて本考案の実施の形態について説明する。
図１〜図１４に示すように、本実施の形態に係るゴルフ用ボールマーク１１，１１ａ，１１ｂ，１１ｃ，１１ｄは、ゴルフ場のグリーン上でボールの位置にボールの代わりに置いてボールの位置を示すゴルフ用ボールマークであって、周方向に沿って適宜な間隔をあけて打数を示す数字が表示されたスコア表示部材１２と、上記スコア表示部材１２の上に回転可能に被覆され、一部に上記スコア表示部材１２に表示された数字を露顕可能とする透明窓部２１が形成されたカバー部材１３と、上記スコア表示部材１２及び上記カバー部材１３を収納して保持しうる固定部材１４，１４ａとを有し、全体が略円板状に形成されている。
また、図１〜図３及び図６〜図１４に示す実施形態では、上記カバー部材１３と上記スコア表示部材１２は、中心部をリベット１７により回転可能に止着されると共に、上記スコア表示部材１２は上記固定部材１４に対し接着剤２４を用いて固定されている。
また、図４及び図５に示す実施形態では、上記カバー部材１３、上記スコア表示部材１２及び上記固定部材１４ａは中心部をリベット１７により止着されて結合されている。
また、図１〜図３に示す実施形態では、上記リベット１７の頭部には装飾部材１９が固定されている。
また、図６〜図８に示す実施形態では、上記固定部材１４は、磁石もしくは強磁性体金属２６を介して、ゴルフ用グローブ２８に対し脱着自在に形成されている。
また、図９〜図１１に示す実施形態では、上記固定部材１４は、面ファスナ２９，３０を介して、ゴルフ用グローブ２８に対し脱着自在に形成されている。
また、図１２〜図１４に示す実施形態では、上記固定部材１４は、スナップボタン３２，３３を介して、ゴルフ用グローブ２８に対し脱着自在に形成されている。
また、上記固定部材１４，１４ａは、金属素材により形成されている。
【実施例１】
【００３１】
図１〜図３は実施例１に係るゴルフ用ボールマーク１１を示したものである。
本実施例に係るゴルフ用ボールマーク１１は、図１に示すように、円板状に形成されたスコア表示部材１２と、上記スコア表示部材１２と同形に形成されたカバー部材１３と、上記スコア表示部材１２及び上記カバー部材１３を重ね合わせた状態で内部に収納しうる短筒状に形成された固定部材１４とを有している。
【００３２】
図１に示すように、上記スコア表示部材１２と、上記カバー部材１３には、夫々、中心部に孔部１５，１６が形成され、図３に示すように、上記孔部１５，１６にはリベット１７が挿通され、上記カバー部材１３は上記スコア表示部材１２の上に被覆するように重ね合わされて、上記スコア表示部材１２に対し回転可能に接合されている。
【００３３】
図1〜図３に示すように、上記リベット１７の頭部は、同所に形成された穴部１８に装飾部材１９が挿入固定されることにより装飾されている。
【００３４】
図１に示すように、上記スコア表示部材１２の表面には、周縁部に沿って円周状に数字表示部２０が設けられ、上記数字表示部２０には、周方向に適宜な間隔をあけて打数を示す１から１２までの数字が表示されている。
【００３５】
図１及び図２に示すように、上記カバー部材１３には、一部に上記スコア表示部材１２の数字表示部２０に表示された数字の一つを露顕可能とする透明窓部２１が形成されている。上記透明窓部２１は上記数字表示部２０と対応するように配置されている。
なお、上記カバー部材１３は透明なプラスチック製の板状部材により形成され、上記透明窓部２１となる箇所を除く範囲にシルク印刷により不透明な着色塗料が付着されることにより上記透明窓部２１が形成されている。
【００３６】
図３に示すように、上記スコア表示部材１２と上記カバー部材１３は重ね合わされ、かつ上記リベット１７により回転可能に接合された状態で、金属素材により短筒状に形成された上記固定部材１４の内部に収納され、上記スコア表示部材１２の裏面部２２と上記固定部材１４の内底面部２３とが接着剤２４により固定されている。
【実施例２】
【００３７】
図４及び図５は実施例２に係るゴルフ用ボールマーク１１ａを示したものである。
本実施例に係るゴルフ用ボールマーク１１ａも、図４に示すように、円板状に形成されたスコア表示部材１２と、上記スコア表示部材１２と同形に形成されたカバー部材１３と、上記スコア表示部材１２及び上記カバー部材１３を重ね合わせた状態で内部に収納しうる短筒状に形成された固定部材１４ａとを有している。
【００３８】
図４に示すように、上記スコア表示部材１２と、上記カバー部材１３と、上記固定部材１４ａには、夫々、中心部に孔部１５，１６，２５が形成され、図５に示すように、上記カバー部材１３は上記スコア表示部材１２の上に被覆するように重ね合わされると共に、上記カバー部材１３と上記スコア表示部材１２が上記固定部材１４ａの内部に収納された状態で、上記孔部１５，１６，２５にはリベット１７が挿通されることにより、上記カバー部材１３と上記スコア表示部材１２は互いに回転可能に接合されると共に、上記スコア表示部材１２は上記固定部材１４ａに対し固定されている。
【００３９】
図４に示すように、上記スコア表示部材１２の表面には、周縁部に沿って円周状に数字表示部２０が設けられ、上記数字表示部２０には、周方向に適宜な間隔をあけて打数を示す１から１２までの数字が表示されている。
【００４０】
図４に示すように、上記カバー部材１３には、一部に上記スコア表示部材１２の数字表示部２０に表示された数字の一つを露顕可能とする透明窓部２１が形成されている。上記透明窓部２１は上記数字表示部２０と対応するように配置されている。
なお、上記カバー部材１３は透明なプラスチック製の板状部材により形成され、上記透明窓部２１となる箇所を除く範囲にシルク印刷により不透明な着色塗料が付着されることにより上記透明窓部２１が形成されている。
【実施例３】
【００４１】
図６〜図８は実施例３に係るゴルフ用ボールマーク１１ｂを示したものである。
本実施例に係るゴルフ用ボールマーク１１ｂは、図６に示すように、円板状に形成されたスコア表示部材１２と、上記スコア表示部材１２と同形に形成されたカバー部材１３と、上記スコア表示部材１２及び上記カバー部材１３を重ね合わせた状態で内部に収納しうる短筒状に形成された固定部材１４とを有している。
【００４２】
図６に示すように、上記スコア表示部材１２と、上記カバー部材１３には、夫々、中心部に孔部１５，１６が形成され、図７に示すように、上記孔部１５，１６にはリベット１７が挿通され、上記カバー部材１３は上記スコア表示部材１２の上に被覆するように重ね合わされて、上記スコア表示部材１２に対し回転可能に接合されている。
【００４３】
図６に示すように、上記スコア表示部材１２の表面には、周縁部に沿って円周状に数字表示部２０が設けられ、上記数字表示部２０には、周方向に適宜な間隔をあけて打数を示す１から１２までの数字が表示されている。
【００４４】
図６に示すように、上記カバー部材１３には、一部に上記スコア表示部材１２の上記数字表示部２０に表示された数字の一つを露顕可能とする透明窓部２１が形成されている。上記透明窓部２１は上記数字表示部２０と対応するように配置されている。
なお、上記カバー部材１３は透明なプラスチック製の板状部材により形成され、上記透明窓部２１となる箇所を除く範囲にシルク印刷により不透明な着色塗料が付着されることにより上記透明窓部２１が形成されている。
【００４５】
図７に示すように、上記スコア表示部材１２と上記カバー部材１３は重ね合わされ、かつ上記リベット１７により回転可能に接合された状態で、金属素材により短筒状に形成された上記固定部材１４の内部に収納され、上記スコア表示部材１２の裏面部２２と上記固定部材１４の内底面部２３とが接着剤２４により固定されている。
【００４６】
また、上記固定部材１４の外底面部３１には、円板状の磁石もしくは強磁性体金属２６が取り付けられると共に、図８に示すように、ゴルフ用グローブ２８の甲には円板状の金属板２７が固定されて、上記磁石もしくは強磁性体金属２６は上記金属板２７に対し脱着可能に構成されている。
【実施例４】
【００４７】
図９〜図１１は実施例４に係るゴルフ用ボールマーク１１ｃを示したものである。
本実施例に係るゴルフ用ボールマーク１１ｃは、図９に示すように、円板状に形成されたスコア表示部材１２と、上記スコア表示部材１２と同形に形成されたカバー部材１３と、上記スコア表示部材１２及び上記カバー部材１３を重ね合わせた状態で内部に収納しうる短筒状に形成された固定部材１４とを有している。
【００４８】
図９に示すように、上記スコア表示部材１２と、上記カバー部材１３には、夫々、中心部に孔部１５，１６が形成され、図１０に示すように、上記孔部１５，１６にはリベット１７が挿通され、上記カバー部材１３は上記スコア表示部材１２の上に被覆するように重ね合わされて、上記スコア表示部材１２に対し回転可能に接合されている。
【００４９】
図９に示すように、上記スコア表示部材１２の表面には、周縁部に沿って円周状に数字表示部２０が設けられ、上記数字表示部２０には、周方向に適宜な間隔をあけて打数を示す１から１２までの数字が表示されている。
【００５０】
図９に示すように、上記カバー部材１３には、一部に上記スコア表示部材１２の上記数字表示部２０に表示された数字の一つを露顕可能とする透明窓部２１が形成されている。上記透明窓部２１は上記数字表示部２０と対応するように配置されている。
なお、上記カバー部材１３は透明なプラスチック製の板状部材により形成され、上記透明窓部２１となる箇所を除く範囲にシルク印刷により不透明な着色塗料が付着されることにより上記透明窓部２１が形成されている。
【００５１】
図１０に示すように、上記スコア表示部材１２と上記カバー部材１３は重ね合わされ、かつ上記リベット１７により回転可能に接合された状態で、金属素材により短筒状に形成された上記固定部材１４の内部に収納され、上記スコア表示部材１２の裏面部２２と上記固定部材１４の内底面部２３とが接着剤２４により固定されている。
【００５２】
また、上記固定部材１４の外底面部３１には、円板状に形成された面ファスナの雄部材２９が取り付けられると共に、図１１に示すように、ゴルフ用グローブ２８の甲には面ファスナの雌部材３０が取り付けられて、上記面ファスナの雄部材２９と上記面ファスナの雌部材３０は脱着可能に構成されている。
【実施例５】
【００５３】
図１２〜図１４は実施例５に係るゴルフ用ボールマーク１１ｄを示したものである。
本実施例に係るゴルフ用ボールマーク１１ｄは、図１２に示すように、円板状に形成されたスコア表示部材１２と、上記スコア表示部材１２と同形に形成されたカバー部材１３と、上記スコア表示部材１２及び上記カバー部材１３を重ね合わせた状態で内部に収納しうる短筒状に形成された固定部材１４とを有している。
【００５４】
図１２に示すように、上記スコア表示部材１２と、上記カバー部材１３には、夫々、中心部に孔部１５，１６が形成され、図１３に示すように、上記孔部１５，１６にはリベット１７が挿通され、上記カバー部材１３は上記スコア表示部材１２の上に被覆するように重ね合わされて、上記スコア表示部材１２に対し回転可能に接合されている。
【００５５】
図１２に示すように、上記スコア表示部材１２の表面には、周縁部に沿って円周状に数字表示部２０が設けられ、上記数字表示部２０には、周方向に適宜な間隔をあけて打数を示す１から１２までの数字が表示されている。
【００５６】
図１２に示すように、上記カバー部材１３には、一部に上記スコア表示部材１２の数字表示部２０に表示された数字の一つを露顕可能とする透明窓部２１が形成されている。上記透明窓部２１は上記数字表示部２０と対応するように配置されている。
なお、上記カバー部材１３は透明なプラスチック製の板状部材により形成され、上記透明窓部２１となる箇所を除く範囲にシルク印刷により不透明な着色塗料が付着されることにより上記透明窓部２１が形成されている。
【００５７】
図１３に示すように、上記スコア表示部材１２と上記カバー部材１３は重ね合わされ、かつ上記リベット１７により回転可能に接合された状態で、金属素材により短筒状に形成された上記固定部材１４の内部に収納され、上記スコア表示部材１２の裏面部２２と上記固定部材１４の内底面部２３とが接着剤２４により固定されている。
【００５８】
また、上記固定部材１４の外底面部３１には、円板状に形成された凹状のスナップボタン３２が取り付けられると共に、図１４に示すように、ゴルフ用グローブ２８の甲には凸状のスナップボタン３３が取り付けられ、上記凹状のスナップボタン３２と上記凸状のスナップボタン３３は互いに脱着可能に構成されている。
【００５９】
次に上記実施例の作用を説明する。
本実施例に係るゴルフ用ボールマーク１１，１１ａ，１１ｂ，１１ｃ，１１ｄは、本来のボールマークの機能と、スコアボードの機能を併有するものである。
本来のボールマークとして使用する場合は、グリーン上のボールの位置に、ボールに代えて置くだけでよい。
【００６０】
本実施例に係るゴルフ用ボールマーク１１，１１ａ，１１ｂ，１１ｃ，１１ｄをスコアボードとして使用する場合は、ショットする毎に、上記カバー部材１３を上記スコア表示部材１２に対し回転させて、上記透明窓部２１に実際のスコアと同じ数字を露見させる。これにより、ゴルファーは自分のスコアを確認しながらプレイすることができ、スコアを忘れる心配がないことから、プレイに集中することができる。
【００６１】
上記実施例１のゴルフ用ボールマーク１１にあっては、上記スコア表示部材１２と、上記カバー部材１３を回転可能に止着する上記リベット１７の頭部に上記装飾部材１９が固定されていることから、装飾性が向上し、外観の見栄えが良好となる。
【００６２】
上記実施例３〜実施例５に係るゴルフ用ボールマーク１１ｂ，１１ｃ，１１ｄにあっては、上記磁石もしくは強磁性体金属２６や、上記雌雄の面ファスナ２９，３０や、上記凹凸状のスナップボタン３２，３３等によりゴルフ用グローブ２８に対し脱着可能であることから、ボールマークとして使用する場合は、ゴルフ用グローブ２８から取り外し、スコアボードとして使用する場合は、ゴルフ用グローブ２８の甲に固定した状態で使用することができる。したがって、紛失する心配がなく、スコアを確認するのが容易である。
【産業上の利用可能性】
【００６３】
本考案はゴルフ用ボールマークに適用可能である。
【図面の簡単な説明】
【００６４】
【図１】本考案の実施例１に係るゴルフ用ボールマークの分解状態の斜視図である。
【図２】本考案の実施例１に係るゴルフ用ボールマークの斜視図である。
【図３】本考案の実施例１に係るゴルフ用ボールマークの断面図である。
【図４】本考案の実施例２に係るゴルフ用ボールマークの分解状態の斜視図である。
【図５】本考案の実施例２に係るゴルフ用ボールマークの断面図である。
【図６】本考案の実施例３に係るゴルフ用ボールマークの分解状態の斜視図である。
【図７】本考案の実施例３に係るゴルフ用ボールマークの断面図である。
【図８】本考案の実施例３に係るゴルフ用ボールマークを脱着可能としたゴルフ用グローブの斜視図である。
【図９】本考案の実施例４に係るゴルフ用ボールマークの分解状態の斜視図である。
【図１０】本考案の実施例４に係るゴルフ用ボールマークの断面図である。
【図１１】本考案の実施例４に係るゴルフ用ボールマーク脱着可能としたゴルフ用グローブの斜視図である。
【図１２】本考案の実施例５に係るゴルフ用ボールマークの分解状態の斜視図である。
【図１３】本考案の実施例５に係るゴルフ用ボールマークの断面図である。
【図１４】本考案の実施例５に係るゴルフ用ボールマーク脱着可能としたゴルフ用グローブの斜視図である。
【符号の説明】
【００６５】
１１，１１ａ，１１ｂ，１１ｃ，１１ｄ  ゴルフ用ボールマーク
１２  スコア表示部材
１３  カバー部材
１４，１４ａ  固定部材
１５  孔部
１６  孔部
１７  リベット
１８  穴部
１９  装飾部材
２０  数字表示部
２１  透明窓部
２２  裏面部
２３  内底面部
２４  接着剤
２５  孔部
２６  磁石もしくは強磁性体金属
２７  金属板
２８  ゴルフ用グローブ
２９  面ファスナの雄部材
３０  面ファスナの雌部材
３１  外底面部
３２  凹状のスナップボタン
３３  凸状のスナップボタン
【図１】
0003132119.tif 000003
【図２】
0003132119.tif 000004
【図３】
0003132119.tif 000005
【図４】
0003132119.tif 000006
【図５】
0003132119.tif 000007
【図６】
0003132119.tif 000008
【図７】
0003132119.tif 000009
【図８】
0003132119.tif 000010
【図９】
0003132119.tif 000011
【図１０】
0003132119.tif 000012
【図１１】
0003132119.tif 000013
【図１２】
0003132119.tif 000014
【図１３】
0003132119.tif 000015
【図１４】
0003132119.tif 000016